(57)【要約】      （修正有）【課題】花の自然な外観を確保しながら魅力的な動的要素を実現する、動的造花を提供する。【解決手段】茎体３Ａに挿通したスライド軸４の基端側にモータ駆動部１０Ａを備え、花部２Ａの花弁２０ａ、２０ｂ、２０ｃが茎体先端部に基端側を接続されてその所定位置をスライド軸先端側に接続され、モータ駆動部でスライド軸を往復摺動させることで花弁が所定位置を支点に揺動しながら花部の開閉動作を行う動的造花１Ａにおいて、その支点は茎体先端部周囲に接続した花弁の基端部であり、スライド軸先端側がリンクアーム４０ａ、４０ｃを介し花弁基端部よりも先端側の内側面に接続され、スライド軸が牽引される動作でリンクアーム先端側が花弁を牽引して閉花し、スライド軸が突出する動作でリンクアーム先端側が花弁を押し広げて開花するものとした。【選択図】図１
0003234801.tif 000002
【実用新案登録請求の範囲】
【請求項１】
造花の花部を支える管状の茎体の内部にスライド軸が挿通されているとともに前記スライド軸基端側にモータ駆動部を備え、前記花部を構成している複数枚の花弁が、前記茎体先端部に基端側を接続されているとともにその所定位置を前記スライド軸の先端側に接続されており、前記モータ駆動部で前記スライド軸を前記茎体内部で往復摺動させることで、前記花弁が前記所定位置を支点にして各々揺動しながら前記花部の開閉動作を行う動的造花において、前記支点は、前記茎体先端部の環状部分に接続された前記花弁の基端部であり、前記スライド軸の先端側は、弾力性を有した短冊状又は線状の複数本のリンクアームを介して前記基端部よりも先端側の前記花弁内側面に各々接続されており、前記茎体の開口端から突出している前記スライド軸先端側が前記茎体内部側に引き込まれる動作により前記リンクアームの基端側も前記茎体内部側に牽引されながらその先端側で前記花弁を求心方向に各々牽引して閉花を行い、引き込み位置の前記スライド軸が前記茎体開口端から突出する動作により前記リンクアームの先端側で前記花弁を遠心方向に押し広げて開花を行う、ことを特徴とする動的造花。
【請求項２】
前記複数本のリンクアームには、長さの異なるものが含まれておりこれらを接続された前記花弁の開閉速度が前記リンクアームの長さに応じて異なるものとされている、ことを特徴とする請求項１に記載した動的造花。
【請求項３】
前記スライド軸は、その先端側に前記茎体の内径よりも小径の管体を固定した状態で備えており、前記管体の先端側から前記複数本のリンクアームが放射状に延設されている、ことを特徴とする請求項１又は２に記載した動的造花。
【請求項４】
前記管体は、外径の異なる２本以上の管体からなり、細い前記管体を太い前記管体内に挿通しながらその先端側から延設されて露出している前記リンクアームを各々遠心方向に広げたことにより、放射状の前記リンクアームが軸方向に重畳した状態とされている、ことを特徴とする請求項３に記載した動的造花。
【請求項５】
前記リンクアームは合成樹脂製であり、その先端側が前記花弁の内側面に溶着された状態で接続されている、ことを特徴とする請求項１，２，３又は４に記載した動的造花。
【請求項６】
前記スライド軸の先端部には、ＬＥＤランプが配設されているとともにその配線が前記茎体内部を挿通されて電力供給手段側に接続されており、前記花弁の開閉動作に合わせて点灯・消灯又は／及び灯色の変更を行うものとされている、ことを特徴とする請求項１，２，３，４又は５に記載した動的造花。
【考案の詳細な説明】
【技術分野】
【０００１】
本考案は、造花の花弁が閉じた状態と開花した状態との間で開閉動作を行う動的造花に関する。
【背景技術】
【０００２】
花弁が開閉動作を行う動的要素を備えた造花は、実開平４−８９５１１号公報や特開２０１４−３０６０１号公報に記載されているように周知である。このような動的造花は、花部を支える管状の茎体内部にスライド軸が挿通されているとともにスライド軸基端側にモータ駆動部を備え、花部を構成する複数枚の花弁がスライド軸先端部の回りに基端側を接続されてその接続位置よりも外周側で茎体の先端部側に接続されており、モータ駆動部でスライド軸を茎体内部で往復摺動させることで、その花弁が茎側に接続している箇所を支点にして各々揺動しながら花部の開閉動作を行う構成となっている。また、その花芯部分に、雌しべ状のランプを配置して開閉動作に合わせて点灯を行うものもある。
【０００３】
しかし、前者の動的造花は、その公報の図３に記載されているように、スライド軸先端部の回りに接続された花弁基端部のやや外周側を屈曲可能な支持部材によって支持されている箇所が支点となっている関係で、公報の図４に記載されているように、スライド軸を引いて花を閉じた状態にするには、花弁の基端部から支持部材で支持された箇所までの部分を収納する半球状の収納部（内萼）を必要としている。
【０００４】
また、後者の動的造花も、前述のものとほぼ同様の駆動機構を備えていることから、花部の基端側に上端開口部分が五角形の箱形収納部（支持枠部）を備えている。そして、動的造花におけるこれらの収納部は、花部のサイズに対して比較的大きい部分を占めるため、花の外観としては不自然な印象を与えやすいという難点がある。
【０００５】
さらに、上述した動的造花においては、隣接する花弁同士が同じ速さで開閉する構造であることから、前者のものは隣接する花弁同士が干渉して開閉動作を妨げるため不自然な動きになりやすく、後者のものは花弁の開閉動作を妨げないようにこれらが閉じた状態で隣接する花弁の側端部同士が重ならない幅狭の花弁形状を採用しており、花の自然な外観を表現しにくくなっている。そのため、これら従来の動的造花は、その動作や外観により花を多様に表現するという観点において、魅力に乏しいものとなりやすい。
【先行技術文献】
【特許文献】
【０００６】
【特許文献１】実開平４−８９５１１号公報
【特許文献２】特開２０１４−３０６０１号公報
【考案の概要】
【考案が解決しようとする課題】
【０００７】
本考案は、上記のような問題を解決しようとするものであり、動的造花について、花としての自然な外観を確保しながら魅力的な動的要素を実現することを課題とする。
【課題を解決するための手段】
【０００８】
そこで、本考案は、造花の花部を支える管状の茎体の内部にスライド軸が挿通されているとともにスライド軸基端側にモータ駆動部を備え、花部を構成している複数枚の花弁が、茎体先端部に基端側を接続されているとともにその所定位置をスライド軸先端側に接続されており、そのモータ駆動部でスライド軸を茎体内部で往復摺動させることで、花弁がその所定位置を支点にして各々揺動しながら花部の開閉動作を行う動的造花において、その支点は、茎体先端部の環状部分に接続された花弁の基端部であり、そのスライド軸の先端側は、所定の弾力性を有した短冊状又は線状の複数本のリンクアームを介して前記基端部よりも先端側の花弁内側面に各々接続されており、茎体の開口端から突出しているスライド軸先端側が茎体内部側に引き込まれる動作によりリンクアームの基端側も茎体内部側に牽引されながらその先端側で花弁を求心方向に各々牽引して閉花を行い、引き込み位置のスライド軸が茎体開口端から突出する動作によりリンクアームの先端側で花弁を遠心方向に押し広げて開花を行う、ことを特徴とするものとした。
【０００９】
このように、環状をなす茎体先端部に花弁の基端部が接続されて、茎体の開口端から突出したスライド軸の先端側が、複数本のリンクアームを介して基端部よりも先端側の花弁内側面に各々接続された構造として、スライド軸の摺動動作でリンクアーム基端側が茎体開口端側から突出・牽引されながら、茎体先端部に接続された花弁基端部を支点にして開閉動作を行う構成を採用したことにより、従来例において茎体外周面よりも外側位置を支点として花弁が開閉動作を行うもののように、スライド軸を茎体内に引き込む際に支点よりも内側の花弁基端側部分を収納するための収納室が必要にはならず、花弁と茎体の接続部分がすっきりとした形状となるため、花としての自然な外観を確保しながら魅力的な動的要素を実現しやすいものとなる。
【００１０】
また、この場合、その複数本のリンクアームには長さの異なるものが含まれており、これらを接続された花弁の開閉速度がリンクアームの長さに応じて異なるものとされている、ことを特徴としたものとすれば、隣接している花弁同士がその動作範囲において互いに干渉しにくい状態を確保できるため、花の自然な開閉動作を実現しやすいものとなる。
【００１１】
さらに、上述した動的造花において、そのスライド軸は、先端側に茎体の内径よりも小径の管体を固定した状態で備えており、この管体の先端側から複数本のリンクアームが放射状に延設されている、ことを特徴としたものとすれば、所定レベルの弾力性を有した素材からなる管体の先端側に長手方向に複数本のスリットを入れるだけでリンクアームを容易に形成できるものとなる。
【００１２】
この場合、その管体は、外径の異なる２本以上の管体からなり、細い管体を太い管体内に挿通しながら管体先端側から延設されて露出しているリンクアームを遠心方向に広げたことにより、放射状のリンクアームが軸方向に重畳した状態とされている、ことを特徴としたものとすれば、より多くの花弁を同時に開閉動作させることが可能となる。
【００１３】
さらにまた、上述した動的造花において、そのリンクアームは合成樹脂製であり、その先端側が花弁の内側面に溶着された状態で接続されている、ことを特徴としたものとすれば、比較的容易な工程でリンクアームと花弁との間の接続が完了するものとなる。
【００１４】
加えて、上述した動的造花において、そのスライド軸の先端部には、ＬＥＤランプが配設されているとともにその配線が茎体内部を挿通されて電力供給手段側に接続されており、花弁の開閉動作に合わせて点灯・消灯又は／及び灯色の変更を行うものとされている、ことを特徴としたものとすれば、花弁の開閉する動作に加えて、点灯状態の変化によっても多様で魅力的な動的要素を実現することができる。
【考案の効果】
【００１５】
スライド軸の摺動動作でリンクアーム基端側が茎体開口端側から突出・牽引されるものとし、茎体先端部に接続した花弁をその接続箇所よりも先端側に接続した箇所を支点にしてリンクアームで開閉動作を行うものとした本考案によると、花としての自然な外観を確保しながら魅力的な動的要素を実現可能となった。
【図面の簡単な説明】
【００１６】
【図１】本考案における第１の実施の形態の動的造花の縦断面図である。
【図２】図１の動的造花の動作を説明するための部分縦断面図であって、（Ａ）は花弁を閉じた状態、（Ｂ）は花弁を開いた状態である。
【図３】図１の動的造花の花部を開閉動作させるスライド軸の構成を示す分解斜視図である。
【図４】図１の動的造花の花部と茎体の構成を説明するための分解斜視図である。
【図５】図３のスライド軸と図４の花部及び茎体を組合せた状態の部分斜視図である。
【図６】図５の変形例を示す部分斜視図である。
【図７】図５の他の変形例を示す部分斜視図である。
【図８】（Ａ）は本考案における第２の実施の形態の動的造花の斜視図、（Ｂ）は（Ａ）の基台部の構成を説明するために拡大した部分縦断面図である。
【考案を実施するための形態】
【００１７】
以下に、図面を参照しながら本考案を実施するための形態を説明する。
【００１８】
図１は、本実施の形態である動的造花１Ａを縦断面図で示している。この動的造花１Ａは、造花の花部２Ａを支える管状の茎体３Ａの内部にスライド軸４が挿通されているとともに、スライド軸４基端側にはモータ駆動部１０Ａを備えている。また、花部２Ａを構成している複数枚の花弁２０ａ，２０ｂ，２０ｃ，２０ｄが、基端側を互いに接続されて１つの花弁体２０Ａを構成しているとともに、その基端側を茎体３Ａ先端部の環状部分に接続されている。さらに、その接続位置よりも先端側（外周側）の位置で、スライド軸４の先端側にリンクアーム４０ａ，４０ｂ，４０ｃ，４０ｄを介して各々接続されている、
【００１９】
茎体３Ａの基端側を支持する箱形の基台１５を備えた基台部５Ａには、電力供給部１３、モータ１１Ａ、駆動軸歯車１１ａ、ラック＆ピニオン式の歯車１２ａを有するスライド体１２Ａからなるモータ駆動部１０Ａが収装されており、このモータ駆動部１０Ａが作動して、スライド体１２Ａ上端側の掛止孔１２ａに基端側の鈎状部４２を掛止されたスライド軸４を、茎体３Ａ内部で往復摺動させることにより、花弁２０ａ，２０ｂ，２０ｃ，２０ｄがその基端部を支点にして各々揺動しながら花弁体２０Ａの開閉動作を行うようになっている。
【００２０】
即ち、花弁２０ａ，２０ｂ，２０ｃ，２０ｄが各々揺動しながら開閉動作を行う支点は、茎体３Ａ先端部で環状を呈する部分に接続された花弁２０ａ，２０ｂ，２０ｃ，２０ｄの基端部であるが、茎体３Ａに挿通したスライド軸４の先端側は、弾力性を有した短冊状の複数本のリンクアーム４０ａ，４０ｂ，４０ｃ，４０ｄを介して、支点になる基端部よりも先端側の花弁内側面に各々接続されており、図２（Ａ）に示すように、茎体３Ａ開口端から突出しているスライド軸４の先端側が、茎体３Ａ開口端から内部側に引き込まれる動作でリンクアーム４０ａ，４０ｂ，４０ｃ，４０ｄ基端側が茎体３Ａ内部側に牽引されながら、その先端側で花弁２０ａ，２０ｂ，２０ｃ，２０ｄを求心方向に各々牽引して閉花動作を行うものとしている。
【００２１】
また、図２（Ｂ）に示すように、引き込み位置のスライド軸４が茎体３Ａ開口端から突出する動作により、リンクアーム４０ａ，４０ｂ，４０ｃ，４０ｄの先端側で各々花弁２０ａ，２０ｂ，２０ｃ，２０ｄを遠心方向に押し広げて開花動作を行うものとしている。尚、図示は省略するが、花弁体２０Ａの開閉動作を制御する手段として、モータ駆動部１０Ａにおける所定の位置に、モータ１１Ａの正逆回転方向を切り替えるリミットスイッチを備えている。
【００２２】
図３は、スライド軸４の構成を分解斜視図で示している。このスライド軸４は、基端側に鈎状部４２ａが形成された鋼線製のロッド４２が、茎体３Ａの内径よりも小径の合成樹脂製の管体４０の内部に挿通されており、この管体４０の先端側に４本のリンクアーム４０ａ，４０ｂ，４０ｃ，４０ｄが遠心方向かつ放射状に延設されている。
【００２３】
また、その管体４０の先端側には、基端側を電力供給部１３（図１参照）に接続される配線４００，４００を有したＬＥＤランプ４５が、管体４０内を挿通したロッド４２の先端側に熱収縮チューブ等による管４４を介して固定された状態で設けられており、マイコン等による制御手段を備えた電力供給部１３の制御により、花弁体２０Ａの開閉動作に合わせて点灯・消灯を行うようになっている。
【００２４】
尚、このＬＥＤランプ４５としては、複数種類の発光素子を内装して複数種類の灯色にて発光可能なものを使用してもよく、花弁体２０Ａの開閉動作に合わせてその灯色の変更を行うようにすれば、花弁体２０Ａの開閉動作に加えて、ＬＥＤランプ４５による点灯状態の様々な変化・変色によっても、魅力的な動的要素を実現することができる。
【００２５】
上述したリンクアーム４０ａ，４０ｂ，４０ｃ，４０ｄを管体４０先端側に設ける方法としては、所定レベルの弾力性を有した合成樹脂製の管の先端側所定範囲において長手方向に４本のスリットを切り込み、そのスリットで区画された短冊状の部分を放射状に広げることが想定される。また、この合成樹脂製の管体４０に熱溶着性を有したポリプロピレン等の樹脂素材を使用することで、その先端側を、花弁２０ａ，２０ｂ，２０ｃ，２０ｄの内側面に対し、超音波溶着等によりリンクアーム４０ａ，４０ｂ，４０ｃ，４０ｄの先端側と花弁２０ａ，２０ｂ，２０ｃ，２０ｄとの間の接続作業が、比較的容易に完了できるものとなる。尚、リンクアームを短冊状の樹脂素材で作成することのほか、ピアノ線のような弾性に富む線材を用いても良い。
【００２６】
図４は、花部２Ａとこれに接続する茎体３Ａの構成を分解斜視図で示している。この花部２Ａは、合成繊維による布または合成樹脂製の４枚の花弁２０ａ，２０ｂ，２０ｃ，２０ｄが、基端側を一体的に接続されながらその中心部に孔２０ｅが開口している花弁体２０Ａと、その裏面側に合成樹脂製で中心に孔２３ａが開口した萼体２３からなるものであり、この花部２Ａは、管状で合成樹脂製の茎体３Ａの先端部の端面又は外周面に、その孔２３ａを挿通するとともにその孔２０ｅを挿通又はその裏面側外縁部を密着した状態で、接着又は溶着により各々接続される。
【００２７】
図５は、花部２Ａに茎体３Ａを接続しながらスライド軸４を挿通した状態として、花弁体２０Ａが最大に開いた状態を示している。この状態において、スライド軸４先端側が花弁体２０Ａの中心から突出している部分は、中心のランプ４５が雌しべのような外観を呈しており、その回りのリンクアーム４０ａ，４０ｂ，４０ｃ，４０ｄが雄しべのような外観を呈していることから、花としての外観に違和感を与えにくいものとしている。
【００２８】
図６は、図５の変形例を示している。本例のリンクアームは、長いリンクアーム４０ｂ，４０ｄと短いリンクアーム４０ｆ，４０ｇの組合せからなり、これらを接続された花弁２０ａ，２０ｂ，２０ｃ，２０ｄの開閉速度がそのリンクアーム４０ｂ，４０ｄ，４０ｆ，４０ｇの長さに応じて異なるようになっている。これにより、隣接している花弁同士がその動作範囲において互いに干渉しにくい状態を確保できるため、花の自然な開閉動作を表現しやすくなっている。
【００２９】
図７は、図５の他の変形例を示しており、リンクアームを先端側に備えた管体が外径の異なる２本の管体４０，４１で構成されており、細い管体４１を太い管体４０内に挿通しながらその先端開口部で延設されて露出しているリンクアーム４１ａ，４１ｂ，４１ｃ，４１ｄを遠心方向に広げたことにより、放射状のリンクアームが軸方向に重畳したものとなっている。これにより、花弁体２０Ａ，２０Ｂを重ねた花部２Ｂにおいて、合計８枚の花弁２０ａ，２０ｂ，２０ｃ，２０ｄ，２０ｅ，２０ｆ，２０ｇ，２０ｈを同時に開閉動作させることができる。
【００３０】
図８は、本発明における第２の実施の形態である動的造花１Ｂを示しており、図（Ａ）はその斜視図、図（Ｂ）はその基台部５Ｂの詳細な構成を説明するために拡大した縦断面図である。この動的造花１Ｂは、同様のものを複数本束ねて使用することを想定したものであり、上述した動的造花１Ｂの基台部５Ａと比べて大幅にスリム且つ小型化した基台部５Ｂを備えている点を特徴としている。
【００３１】
本実施の形態の動的造花１Ｂは、上述した動的造花１Ａとその構成及び機能が殆ど共通しているが、図８（Ａ）に示すように、その基台部５Ｂがスリムでコンパクトな円柱状とされているとともに、大幅に延長された茎部３Ｂで花部２Ｃを支持しており、その複数本を束ねて花束状にしやすい全体構成となっている。
【００３２】
また、その基台部５Ｂは、図８（Ｂ）に示すように、円筒状の箱体からなる基台１６の内部に、電力供給部１４、モータ１１Ｂ、駆動軸歯車１１ｂ、スライド体１２Ｂからなるモータ駆動部１０Ｂが収装されており、駆動軸歯車１１ｂが正逆方向に回転動作することで、これが螺入している円筒状のスライド体１２Ｂが回転軸線上を往復動作するものであり、その先端面に基端側を連結されてスライド軸の一部を構成しているロッド４３が、長い茎体３Ｂ内を往復摺動しながら先端側の花部２Ｃを開閉動作させる構成となっている。
【００３３】
また、そのスライド体４３は、基台１６の内周面に配設したリミットスイッチ１４０ａ，１４０ｂにその一部を当接することで、モータ１１Ｂの回転方向を切り替えるようになっている。このように、基台部５Ｂをスリムな形状・サイズとしながら茎部３Ｂを長くしたことにより、多数本の動的造花１Ｂを一つに纏めて総ての花部２Ｃが動作や発光を行う華やかな花束を演出することが可能となる。
【００３４】
尚、この動的造花１Ｂの電力供給部１４に接続しているコード５００は、電源を供給する配線だけではなく、所定のプログラムを備えた図示しない制御手段からの指令を送信する配線も備えており、コンピュータ制御で複数本の動的造花１Ｂごとに様々な動作と点灯を実行させながら、動的で華やかな花束としての演出を行えるようになっている。また、茎体３Ｂは屈曲可能であるとともにその屈曲状態を維持可能な素材からなるため、動的造花１Ｂごとに花部２Ｃを各々所望の向きに固定することも可能である。さらに、その茎体３Ｂに葉を模した部材を付設しても良いことは言うまでもない。
【００３５】
以上、述べたように、動的造花について、本考案により、花としての自然な外観を確保しながら魅力的な動的要素を実現できるようになった。
【符号の説明】
【００３６】
１Ａ，１Ｂ  動的造花、２Ａ，２Ｂ，２Ｃ  花部、３Ａ，３Ｂ  茎部、４  スライド軸、５Ａ，５Ｂ  基台部、１０Ａ，１０Ｂ  モータ駆動部、１１Ａ，１１Ｂ  モータ、１２Ａ，１２Ｂ  スライド体、１３，１４  電力供給部、２０ａ，２０ｂ，２０ｃ，２０ｄ，２０ｅ，２０ｆ，２０ｇ，２０ｈ  花弁、４０，４１  管体、４０ａ，４０ｂ，４０ｂ，４０ｄ，４０ｆ，４０ｇ，４１ａ，４１ｂ，４１ｃ，４１ｄ  リンクアーム、４２，４３  ロッド、４５  ＬＥＤランプ、４００，５００  配線
【図１】
0003234801.tif 000003
【図２】
0003234801.tif 000004
【図３】
0003234801.tif 000005
【図４】
0003234801.tif 000006
【図５】
0003234801.tif 000007
【図６】
0003234801.tif 000008
【図７】
0003234801.tif 000009
【図８】
0003234801.tif 000010